(57)【特許請求の範囲】
【請求項１】
機体（２）に設置される情報端末（２０）と、
前記情報端末（２０）と通信接続可能な携帯端末（２７）と、
前記機体（２）に搭載され、かつ予め設定されて記憶した暗証番号と、前記携帯端末（２７）から入力した解除用暗証番号とが一致すると、前記機体（２）の走行を禁止するセキュリティ状態を解除して、前記機体（２）の走行を許容するセキュリティ解除手段（２５）と、を備え、
前記セキュリティ解除手段（２５）は、前記セキュリティ状態を解除した状態で、前記機体（２）に搭載されたエンジン（７）の駆動中に前記情報端末（２０）と前記携帯端末（２７）との通信が遮断されても、所定時間、前記セキュリティ状態を解除した状態に維持する
ことを特徴とする作業車両（１）。
【請求項２】
前記セキュリティ状態とは、前記エンジン（７）から伝達されてくる動力による車輪（４，５）の前進、後進の切り換え及び前記動力の前記車輪（４，５）への遮断を行うための前後進切換レバー（１２）を前記動力を遮断した状態に維持することであり、
前記セキュリティ状態を解除した状態とは、前記前後進切換レバー（１２）が車輪（４，５）を前進又は後進に切り換えることを許容する状態である
ことを特徴とする請求項１に記載の作業車両（１）。
【請求項３】
前記情報端末（２０）は、前記エンジン（７）の停止時にスリープモードで休止するとともに、振動を検出する振動検出手段（２０ａ）を備え、前記スリープモードで休止中に前記振動検出手段（２０ａ）が振動を検出すると通常稼働モードに移行する
ことを特徴とする請求項１又は請求項２に記載の作業車両（１）。
【発明の詳細な説明】
【技術分野】
【０００１】
本発明は、作業車両に関する。
【背景技術】
【０００２】
トラクタなどの作業車両では、盗難防止のために、携帯端末から入力した暗証番号と、エンジンコントローラ（ＥＣＵ）などに記憶された暗証番号とを照合し、これらの暗証番号が一致することで、エンジンが作動することを許容する（例えば、特許文献１参照）。
【先行技術文献】
【特許文献】
【０００３】
【特許文献１】特開２０１３−６６４２４号公報
【発明の概要】
【発明が解決しようとする課題】
【０００４】
しかしながら、特許文献１に示された作業車両は、暗証番号が一致しないとエンジンが作動できずに、作業機を作動させることができない。このために、特許文献１に示された作業車両は、暗証番号が一致しない状態であってもエンジンを作動することができるようにして、盗難防止を図りながらも作業に支障が無いようにすることが求められていた。さらに、特許文献１に示された作業車両は、携帯端末と通信接続する情報端末の消費電力を少なくしながらも、円滑に使用できることが求められる。
【０００５】
本発明は、上記に鑑みてなされたものであって、盗難防止を図りながらも作業に支障が無いようにすることができる作業車両を提供することを目的とする。
【課題を解決するための手段】
【０００６】
上述した課題を解決し、目的を達成するために、請求項１に記載の作業車両（１）は、機体（２）に設置される情報端末（２０）と、前記情報端末（２０）と通信接続可能な携帯端末（２７）と、前記機体（２）に搭載され、かつ予め設定されて記憶した暗証番号と、前記携帯端末（２７）から入力した解除用暗証番号とが一致すると、前記機体（２）の走行を禁止するセキュリティ状態を解除して、前記機体（２）の走行を許容するセキュリティ解除手段（２５）と、を備え、前記セキュリティ解除手段（２５）は、前記セキュリティ状態を解除した状態で、前記機体（２）に搭載されたエンジン（７）の駆動中に前記情報端末（２０）と前記携帯端末（２７）との通信が遮断されても、所定時間、前記セキュリティ状態を解除した状態に維持することを特徴とする。
【０００８】
請求項２に記載の作業車両（１）は、前記セキュリティ状態とは、前記エンジン（７）から伝達されてくる動力による車輪（４，５）の前進、後進の切り換え及び前記動力の前記車輪（４，５）への遮断を行うための前後進切換レバー（１２）を前記動力を遮断した状態に維持することであり、前記セキュリティ状態を解除した状態とは、前記前後進切換レバー（１２）が車輪（４，５）を前進又は後進に切り換えることを許容する状態であることを特徴とする。
【０００９】
請求項３に記載の作業車両（１）は、上記作業車両（１）において、前記情報端末（２０）は、前記エンジン（７）の停止時にスリープモードで休止するとともに、振動を検出する振動検出手段（２０ａ）を備え、前記スリープモードで休止中に前記振動検出手段（２０ａ）が振動を検出すると通常稼働モードに移行することを特徴とする。
【発明の効果】
【００１１】
請求項１記載の発明によれば、セキュリティ状態を解除した状態でエンジン（７）の駆動中には、情報端末（２０）と携帯端末（２７）との通信が遮断されても、所定時間、セキュリティ状態を解除した状態に維持する。このために、一度、セキュリティ状態を解除すると、携帯端末（２７）を保持した作業員が作業車両（１）から離間するなどして、情報端末（２０）と携帯端末（２７）との通信が遮断されても、作業車両（１）の前後進（走行）、即ち、圃場での作業を行うことができる。したがって、作業車両（１）は、盗難防止を図りながらも作業に支障が無いようにすることができる。
【００１２】
また、情報端末（２０）と携帯端末（２７）との通信が遮断されて、所定時間経過後に、セキュリティ状態とすることができるので、携帯端末（２７）を保持した作業員が長期に亘って作業車両（１）から離間して、情報端末（２０）と携帯端末（２７）との通信が遮断されると、作業車両（１）が前後進（走行）することを禁止する。したがって、作業車両（１）の確実な盗難防止を図ることができる。
【００１３】
また、請求項２記載の発明によれば、請求項１の効果に加え、セキュリティ状態とは前後進切換レバー（１２）を車輪（４，５）への動力を遮断した状態に維持することであるので、セキュリティ状態では作業車両（１）の走行を確実に禁止でき、盗難防止を確実に図ることができる。また、セキュリティ状態であっても、エンジン（７）を駆動することができるので、作業車両（１）を停止したままであっても作業機を駆動させることができ、圃場の作業を行うことができる。
【００１４】
また、請求項３記載の発明によれば、請求項１又は請求項２の効果に加え、情報端末（２０）がエンジン（７）の停止中にスリープモードとなるので、省電力化を図ることができる。また、エンジン（７）が駆動すると、振動検出手段（２０ａ）がエンジン（７）を駆動する際の振動を検出して、情報端末（２０）が通常稼働モードに移行するので、エンジン（７）を駆動すると情報端末（２０）が携帯端末（２７）と速やかに通信可能となり、円滑に使用することができる。
【図面の簡単な説明】
【００１５】
【図１】図１は、実施形態に係る作業車両としてのトラクタを表す側面図である。
【図２】図２は、実施形態に係る作業車両としてのトラクタのブロック図である。
【図３】図３は、実施形態に係る作業車両としてのトラクタのセキュリティ状態を解除する際のフローチャートの一例である。
【図４】図４は、実施形態に係る作業車両としてのトラクタのセキュリティ状態に移行する際のフローチャートの一例である。
【図５】図５は、実施形態の変形例１に係る作業車両としてのトラクタのブロック図である。
【図６】図６は、実施形態の変形例２に係る作業車両としてのトラクタのセキュリティ状態に移行する際のフローチャートの一例である。
【発明を実施するための形態】
【００１６】
以下に、本発明につき図面を参照しつつ詳細に説明する。なお、下記の実施形態により本発明が限定されるものではない。また、下記の実施形態における構成要素には、当業者が容易に想定できるもの或いは実質的に同一のもの、いわゆる均等の範囲のものが含まれる。また、下記の実施形態における構成要素は、適宜組み合わせることができる。
【００１７】
［実施形態］
本発明の実施形態に係る作業車両としてのトラクタ１を図面を参照して説明する。図１は、実施形態に係る作業車両としてのトラクタを表す側面図である。図２は、実施形態に係る作業車両としてのトラクタのブロック図である。図３は、実施形態に係る作業車両としてのトラクタのセキュリティ状態を解除する際のフローチャートの一例である。図４は、実施形態に係る作業車両としてのトラクタのセキュリティ状態に移行する際のフローチャートの一例である。
【００１８】
実施形態に係る作業車両としてのトラクタ１は、圃場等で作業を行う作業車両であり、図１に示すように、操舵用の車輪として設けられる前輪４と、駆動用の車輪として設けられる後輪５とを有した機体２と、走行系ＥＣＵ２５（図２に示す）などを備えている。後輪５には、機体２前部のボンネット６内に搭載されるエンジン７で発生した動力を、図示しない主変速装置及び副変速装置で適宜減速して伝達可能になっており、後輪５は、このエンジン７から伝達されてくる動力によって駆動される。
【００１９】
また、トラクタ１は、エンジン７で発生しかつ主変速装置及び副変速装置で減速した動力を、図示しない前輪増速切換機構を介して、前輪４にも伝達可能になっている。トラクタ１は、前輪増速切換機構が動力を伝達すると、エンジン７から伝達されてくる動力によって前輪４と後輪５との四輪が駆動され、前輪増速切換機構が動力の伝達を遮断すると、エンジン７から伝達されてくる動力によって後輪５のみの二輪が駆動される。即ち、トラクタ１は、二輪駆動と四輪駆動との切り換えが可能になっている。また、トラクタ１の機体２後部には、ロータリ（図示省略）等の作業機を装着可能なＰＴＯ（Ｐｏｗｅｒ  Ｔａｋｅ−Ｏｆｆ）連結装置８が配設されているとともに、ＰＴＯ連結装置８に装着される作業機を昇降させる図示しない３点リンク機構が配設されている。
【００２０】
また、トラクタ１の機体２の中央部には、図１に示すように、作業員がトラクタ１を操縦する際に座る操縦席９が設けられ、操縦席９の前方には、図１に示すように、前輪４の操舵に用いるステアリングハンドル１０、作業員に各種の情報を提供する図示しない表示パネルや、作業員が各種の操作を行う図示しない操作パネルが設けられている。ステアリングハンドル１０は、当該ステアリングハンドル１０を回転可能に指示するハンドルポスト１１の上端側に配設されている。また、ハンドルポスト１１の下方側、即ち、操縦席９に作業員が座った場合における作業員の足元付近には、クラッチペダル、後輪５をペダル操作に応じて制動するためのブレーキペダル、アクセルペダルが設置されている。
【００２１】
また、ハンドルポスト１１には、トラクタ１の走行時における進行方向を前進と後進と停止とで切り換える前後進切換レバー１２（図２に示す）が配設されている。即ち、前後進切換レバー１２は、エンジン７から伝達されてくる動力による前後輪４，５の前進、後進の切り換え、及び動力の前後輪４，５への遮断を行うためのものである。
【００２２】
前後進切換レバー１２は、トラクタ１を前進させる場合には前側に倒し、トラクタ１を後進させる場合は後ろ側に倒すことにより、エンジン７からの動力による機体２の前進、後進を切り換えるためのものである。また、前後進切換レバー１２は、前進位置と後進位置との間に中立位置を有しており、この中立位置は、エンジン７から伝達されてくる動力の前後輪４，５への遮断を行い、トラクタ１が前方にも後方にも進まないようにすることができる位置である。
【００２３】
また、前後進切換レバー１２には、中立位置にロックし、前進位置と後進位置との双方に移動することを禁止する前後進切換レバーロック機構１３（図２に示す）が取り付けられている。前後進切換レバー１２は、走行系ＥＣＵ２５により制御される。
【００２４】
また、操縦席９の右側には、主変速装置の変速である主変速の操作を行って、トラクタ１の走行時における変速に関する操作を行う主変速レバー（図示せず）が配設され、操縦席９の左側には、副変速装置を操作して、走行速度を、超低速、低速、中速、高速及び中立に切り換える副変速レバー（図示せず）が配設されている。
【００２５】
また、トラクタ１は、図２に示すように、トラクタ１の機体２に設置される情報端末２０と、エンジン制御ＥＣＵ２１と、作業機制御ＥＣＵ２２と、メータパネルＥＣＵ２３と、操作パネルＥＣＵ２４と、走行系ＥＣＵ２５（セキュリティ解除手段に相当）と、３Ｐ系ＥＣＵ２６と、情報端末２０と無線通信接続（双方向通信）可能でかつ作業者等が保持して持ち運び可能な携帯端末２７などを備えている。トラクタ１は、情報端末２０が取得した作業時のデータ（走行経路や作業条件）などを情報端末２０から携帯端末２７に送信可能であるとともに、携帯端末２７が取得した気象条件などの情報を情報端末２０に送信可能で、情報端末２０と携帯端末２７との間で双方向に送受信可能なものである。なお、情報端末２０から携帯端末２７に送信された作業時のデータは、携帯端末２７からコンピュータ３０に入力されて、コンピュータ３０に蓄積される。また、携帯端末２７から情報端末２０に送信される情報は、コンピュータ３０から携帯端末２７に入力される。
【００２６】
情報端末２０は、携帯端末２７と双方向に無線通信可能な図示しない通信手段と、各種の情報を表示可能な表示手段と、各種の情報を記憶する記憶手段と、各種の情報を入力する入力手段と、通信手段と表示手段と記憶手段などを制御したり情報を一旦記憶するＣＰＵ及びメモリなどを備えた電子機器で構成される。また、情報端末２０は、振動を検出する振動検出手段２０ａを備えている。
【００２７】
情報端末２０は、カプラ２８及びＣＡＮ通信ライン１，２，３（図２中にＣＡＮ１、ＣＡＮ２、ＣＡＮ３と記す）を介してエンジン制御ＥＣＵ２１と、作業機制御ＥＣＵ２２と、メータパネルＥＣＵ２３と、操作パネルＥＣＵ２４と、走行系ＥＣＵ２５と、３Ｐ系ＥＣＵ２６と交互に通信可能に接続されている。即ち、エンジン制御ＥＣＵ２１と、作業機制御ＥＣＵ２２と、メータパネルＥＣＵ２３と、操作パネルＥＣＵ２４と、走行系ＥＣＵ２５と、３Ｐ系ＥＣＵ２６の情報は、ＣＡＮ１、ＣＡＮ２及びＣＡＮ３を介して情報端末２０に入力する。このために、トラクタ１は、エンジン制御ＥＣＵ２１と、作業機制御ＥＣＵ２２と、メータパネルＥＣＵ２３と、操作パネルＥＣＵ２４と、走行系ＥＣＵ２５と、３Ｐ系ＥＣＵ２６のうち一部に変更があっても、情報端末２０の変更により対応することができる。また、作業機制御ＥＣＵ２２は、ＡＧポート３３及びＣＡＮ３を介して３Ｐ系ＥＣＵ２６に接続している。
【００２８】
また、情報端末２０は、カプラ２９を介してＧＰＳアンテナ３１が接続しており、ＧＰＳアンテナ３１が受信するＧＰＳ信号に基いて、トラクタ１の位置を算出し、記憶することができる。トラクタ１は、情報端末２０にカプラ２９を介してＧＰＳアンテナ３１が接続しているので、ＧＰＳアンテナ３１の交換を容易に行うことができ、容易に精度アップを図ることができる。さらに、情報端末２０には、カプラ２８及びシリアル通信ライン３２を介して、トラクタ１のメンテナンス時に用いられるサービスツール５０を接続することができる。
【００２９】
情報端末２０は、エンジン制御ＥＣＵ２１からの信号に基いて、エンジン７の停止時であるか否かを判定し、エンジン停止時であると判定するとエンジン停止時にスリープモードで休止する。スリープモードとは、スリープ前即ちエンジン停止前に情報端末２０が作業していた内容と設定をメモリに保存し、電力を少量使用する所謂待機電源モードのことをいう。スリープモードでは、情報端末２０は、メモリ以外の給電を停止する。情報端末２０は、スリープモードで休止中に振動検出手段２０ａが振動を検出すると、通信手段、表示手段、入力手段、記憶手段と、ＣＰＵ及びメモリなどの全てに給電して動作させる通常稼働モードに移行する。
【００３０】
また、情報端末２０は、スリープモードで休止中に振動検出手段２０ａが振動を検出しなくても、定期的に通常稼働モードに一定時間移行し、振動検出手段２０ａが振動を検出しないと、スリープモードと通常稼働モードとを一定時間毎に繰り返してもよい。この際、通常稼働モードの時間を１００ｍｓｅｃなどの極短時間とし、スリープモードで休止する周期を少なくとも１分以内程度の時間とすることが望ましい。この場合、スリープモードから通常稼働モードへの移行を確実に行うことができる。
【００３１】
また、情報端末２０は、トラクタ１のエンジン作動スイッチ信号によりスリープモードから通常稼働モードに移行しても良い。さらに、情報端末２０は、トラクタ１のエンジン作動スイッチ信号と、エンジン回転数が規定回転数以上になると、スリープモードから通常稼働モードに移行しても良い。さらに、情報端末２０は、エンジン制御ＥＣＵ２１と、作業機制御ＥＣＵ２２と、メータパネルＥＣＵ２３と、操作パネルＥＣＵ２４と、走行系ＥＣＵ２５と、３Ｐ系ＥＣＵ２６のうちいずれかから信号が入力し、エンジン回転数が規定回転数以上になると、スリープモードから通常稼働モードに移行しても良い。これらの場合、セキュリティ効果を高めることができる。
【００３２】
また、前述した情報端末２０は、トラクタ１の機体２に搭載され、かつトラクタ１の走行などに用いられるバッテリ１４から電力が供給される。このために、トラクタ１は、情報端末２０に容易に常時電力を供給できる。
【００３３】
エンジン制御ＥＣＵ２１、作業機制御ＥＣＵ２２、メータパネルＥＣＵ２３、操作パネルＥＣＵ２４、３Ｐ系ＥＣＵ２６及び走行系ＥＣＵ２５は、機体２に搭載される。エンジン制御ＥＣＵ２１は、アクセルペダルなどの操作位置に基いて、エンジン７などを制御する。作業機制御ＥＣＵ２２は、ＰＴＯ連結装置８に装着された作業機を制御するものであり、メータパネルＥＣＵ２３は、表示パネルを制御するものであり、操作パネルＥＣＵ２４は、操作パネルを制御するものであり、３Ｐ系ＥＣＵ２６は、３点リンク機構を制御するものである。走行系ＥＣＵ２５は、エンジン７からの動力を前後輪４，５に伝達する伝達機構や前後進切換レバーロック機構１３などを制御するものである。
【００３４】
走行系ＥＣＵ２５は、前後進切換レバーロック機構１３により前後進切換レバー１２を中立位置でロックして、機体２の走行を禁止するセキュリティ状態を解除可能なものであるとともに、セキュリティ状態を維持可能なものである。このように、セキュリティ状態とは、前後進切換レバー１２を中立位置に維持して、前後進切換レバー１２を前後輪４，５へのエンジン７からの動力を遮断した状態に維持することである。なお、本実施形態では、セキュリティ状態であっても、エンジン７を駆動することはできる。また、セキュリティ状態を解除した状態とは、前後進切換レバーロック機構１３のロックを解除して、前後進切換レバー１２が前進位置と後進位置に移動することを許容して、前後進切換レバー１２が前後輪４，５を前進又は後進に切り換えることを許容する状態である。
【００３５】
走行系ＥＣＵ２５は、予め設定されたセキュリティ状態を解除するための暗証番号を記憶している。また、走行系ＥＣＵ２５は、暗証番号を情報端末２０に送信することはない。走行系ＥＣＵ２５には、携帯端末２７から情報端末２０及びＣＡＮ２を介してセキュリティ状態解除用の解除用暗証番号が入力する。走行系ＥＣＵ２５は、セキュリティ状態において、暗証番号と携帯端末２７から入力した解除用暗証番号とが一致すると、セキュリティ状態を解除して、機体２の走行（前後進）を許容する。また、走行系ＥＣＵ２５は、セキュリティ状態を解除した状態において、エンジン７の駆動中に、情報端末２０と携帯端末２７との通信が遮断されても、少なくとも所定時間、セキュリティ状態を解除した状態に維持する。また、走行系ＥＣＵ２５に記憶された暗証番号は、サービスツール５０により確認することができる。
【００３６】
携帯端末２７としては、情報端末２０と双方向に無線通信可能な携帯電話、タブレット型コンピュータなどの携帯型電子機器を用いることができ、多機能携帯電話（所謂スマートフォーン）などのスマートデバイスであることが望ましい。携帯端末２７は、図２に示すように、各種の情報を表示する表示手段２７ａと、入力手段２７ｂと、通信手段２７ｃと、制御手段２７ｄなどを備える。表示手段２７ａは、液晶ディスプレイ、有機ＥＬディスプレイ等の表示パネルなどで構成される。表示手段２７ａは、制御手段２７ｄから入力される信号に応じて、文字、図形、画像等の情報を表示する。入力手段２７ｂは、作業者の操作を受け付けるためのものであり、表示手段２７ａの全面に設けられたタッチパネルなどで構成される。入力手段２７ｂは、受け付けた操作に応じた信号を制御手段２７ｄへ入力する。通信手段２７ｃは、情報端末２０と双方向に無線通信を行うものである。制御手段２７ｄは、例えばＣＰＵ等で構成された演算処理装置やＲＯＭ、ＲＡＭ等を備える図示しないマイクロプロセッサ、メモリカード等の記録媒体を主体として構成されており、表示手段２７ａ、通信手段２７ｃなどを制御する。
【００３７】
また、携帯端末２７は、予め対応するものとして情報端末２０に登録される。具体的には、携帯端末２７のＩＤを示す情報が情報端末２０に登録される。携帯端末２７は、対応するものとして登録された情報端末２０を設置したトラクタ１のセキュリティ状態を解除するための解除用暗証番号を記憶している。携帯端末２７は、作業者の入力手段２７ｂの操作などによりＩＤと解除用暗証番号を情報端末２０に無線送信する。また、携帯端末２７は、情報端末２０から走行系ＥＣＵ２５が記憶した暗証番号を受信することがなく、表示手段２７ａに走行系ＥＣＵ２５が記憶する暗証番号を表示することはない。
【００３８】
次に、前述したトラクタ１のセキュリティ状態を解除する際の動作を図３を参照して説明する。セキュリティ状態では、トラクタ１は、情報端末２０がスリープモードであり、エンジン７が停止している。そして、セキュリティ状態において、まず、携帯端末２７からのＩＤと解除用暗証番号を情報端末２０が受信し、情報端末２０が受信した解除用暗証番号をＣＡＮ２を介して、一定時間毎に走行系ＥＣＵ２５に出力する。そして、走行系ＥＣＵ２５は、予め設定された暗証番号と、携帯端末２７から入力した解除用暗証番号とを照合し、これらが一致しているか否かを判定する（ステップＳＴ１）。なお、この際、情報端末２０は、予め対応するものとして登録されたＩＤの携帯端末２７から入力した解除用暗証番号のみを走行系ＥＣＵ２５に送信し、他のＩＤの携帯端末２７から入力した解除用暗証番号を走行系ＥＣＵ２５に送信しない。
【００３９】
走行系ＥＣＵ２５が暗証番号が一致したと判定する（ステップＳＴ１：Ｙｅｓ）と、走行系ＥＣＵ２５は、前後進切換レバーロック機構１３にセキュリティ状態を解除させ（ステップＳＴ２）て、情報端末２０がエンジン制御ＥＣＵ２１からの信号に基いてエンジン７が駆動しているか否かを判定する（ステップＳＴ３）。情報端末２０がエンジン７が駆動していないと判定する（ステップＳＴ３：Ｎｏ）とステップＳＴ３を繰り返し、エンジン７が駆動していると判定する（ステップＳＴ３：Ｙｅｓ）と通常稼働モードに移行する（ステップＳＴ４）。
【００４０】
また、走行系ＥＣＵ２５が暗証番号が一致していないと判定する（ステップＳＴ１：Ｎｏ）と、情報端末２０がエンジン制御ＥＣＵ２１からの信号に基いてエンジン７が駆動しているか否かを判定する（ステップＳＴ５）。情報端末２０がエンジン７が駆動していないと判定する（ステップＳＴ５：Ｎｏ）とステップＳＴ１に戻り、エンジン７が駆動していると判定する（ステップＳＴ５：Ｙｅｓ）と通常稼働モードに移行する（ステップＳＴ６）。その後、走行系ＥＣＵ２５は、予め設定された暗証番号と、携帯端末２７から入力した解除用暗証番号とを照合し、これらが一致しているか否かを判定する（ステップＳＴ７）。
【００４１】
走行系ＥＣＵ２５は、暗証番号が一致していないと判定する（ステップＳＴ７：Ｎｏ）とステップＳＴ７を繰り返し、暗証番号が一致したと判定する（ステップＳＴ７：Ｙｅｓ）と、前後進切換レバーロック機構１３にセキュリティ状態を解除させる（ステップＳＴ８）。こうして、トラクタ１は、セキュリティ状態からセキュリティ状態を解除した状態に移行する。
【００４２】
また、情報端末２０は、エンジン７が駆動しているか否かを判定する（ステップＳＴ３，ＳＴ５）には、トラクタ１のエンジン始動スイッチからの操作信号により判定してもよく、エンジン始動スイッチからの操作信号とエンジン回転数が所定回数以上であるか否かにより判定しても良い。この場合、エンジン始動スイッチからエンジンを始動する操作信号が入力したと判定した場合、エンジン回転数が所定回転数以上であると判定した場合に、エンジン７が駆動していると判定する。さらに、情報端末２０は、外部に情報を送信したこととエンジン回転数が所定回数以上であるか否かによりエンジン７が駆動しているか否かを判定しても良い。この場合、外部に情報を送信しかつエンジン回転数が所定回転数以上であると判定した場合に、エンジン７が駆動していると判定する。
【００４３】
次に、前述したトラクタ１のセキュリティ状態を解除した状態からセキュリティ状態に移行する際の動作を図４を参照して説明する。セキュリティ状態を解除した状態では、トラクタ１は、携帯端末２７が作業者からの操作がなくても解除用暗証番号を情報端末２０に一定時間毎に送信し、情報端末２０が受信した解除用暗証番号を一定時間毎に走行系ＥＣＵ２５に送信するとともに、少なくとも最新の解除用暗証番号を記憶しておく。そして、走行系ＥＣＵ２５は、予め設定された暗証番号と、携帯端末２７から入力した最新の解除用暗証番号とを照合し、これらが一致しているか否かを判定する（ステップＳＴ１１）。
【００４４】
走行系ＥＣＵ２５が暗証番号が一致したと判定する（ステップＳＴ１１：Ｙｅｓ）と、情報端末２０は、携帯端末２７との通信が遮断されたか否かを判定する（ステップＳＴ１２）。情報端末２０が、携帯端末２７との通信が遮断されていないと判定する（ステップＳＴ１２：Ｎｏ）と、ステップＳＴ１１に戻りセキュリティ状態を解除した状態を維持し、携帯端末２７との通信が遮断されたと判定する（ステップＳＴ１２：Ｙｅｓ）と、通信が遮断されてから所定時間経過したか否かを判定する（ステップＳＴ１３）。情報端末２０が、通信が遮断されてから所定時間経過していないと判定する（ステップＳＴ１３：Ｎｏ）と、ステップＳＴ１１に戻りセキュリティ状態を解除した状態を維持する。
【００４５】
情報端末２０が、通信が遮断されてから所定時間経過したと判定する（ステップＳＴ１３：Ｙｅｓ）と、走行系ＥＣＵ２５は、セキュリティ状態に移行する（ステップＳＴ１４）。また、走行系ＥＣＵ２５が暗証番号が一致していないと判定する（ステップＳＴ１１：Ｎｏ）と、走行系ＥＣＵ２５は、セキュリティ状態に移行する（ステップＳＴ１４）。情報端末２０は、エンジン７が駆動しているか否かを判定する（ステップＳＴ１５）。情報端末２０は、エンジン７が駆動していると判定する（ステップＳＴ１５：Ｙｅｓ）と、ステップＳＴ１５を繰り返して通常稼働モードを維持し、エンジン７が駆動していないと判定する（ステップＳＴ１５：Ｎｏ）と、スリープモードに移行する（ステップＳＴ１６）。こうして、トラクタ１は、セキュリティ状態を解除した状態からセキュリティ状態に移行する。
【００４６】
本実施形態に係るトラクタ１は、以上のごとき構成からなり、以下、その作用について説明する。トラクタ１の走行時には、主変速レバーと副変速レバーとによって主変速装置と副変速装置との変速指示を行い、アクセルペダルでエンジン７の回転数を調節する。また、進行方向を切り換える場合には、前後進切換レバー１２を操作することにより、前進と後進とを切り換える。これらの操作は、センサ類で検出して走行系ＥＣＵ２５などに入力され、入力した情報に基づいて走行系ＥＣＵ２５などがソレノイド等を作動させることにより、エンジン７の運転制御や主変速装置、副変速装置の変速制御を行い、任意の走行状態で走行する。
【００４７】
また、進路の調節はステアリングハンドル１０を操作することにより行い、減速はブレーキペダルを操作することにより行うが、ブレーキペダルは減速時のみでなく、急旋回時にも使用する。
【００４８】
また、トラクタ１は、圃場で作業を行ったり、路上を走行したりすることが可能になっているが、圃場と路上とでは、走行時における適切な速度領域が異なっている。このため、トラクタ１の走行時には、走行する場所等の走行状態に応じて主変速レバーや副変速レバーを操作することにより、速度領域を切り換える。
【００４９】
以上のように、本実施形態のトラクタ１の構成によれば、エンジン７の駆動中には、予め設定された暗証番号と携帯端末２７から入力した最新の解除用暗証番号とが一致すると、情報端末２０と携帯端末２７との通信が遮断されても、所定時間、セキュリティ状態を解除した状態に維持する。このために、一度、セキュリティ状態を解除すると、携帯端末２７を保持した作業員がトラクタ１から離間するなどして、情報端末２０と携帯端末２７との通信が遮断されても、トラクタ１の前後進、即ち、圃場での作業を行うことができる。したがって、トラクタ１は、盗難防止を図りながらも作業に支障が無いようにすることができる。
【００５０】
また、トラクタ１は、情報端末２０と携帯端末２７との通信が遮断されて、所定時間経過後に、セキュリティ状態とすることができるので、携帯端末２７を保持した作業員が長期に亘ってトラクタ１から離間して、情報端末２０と携帯端末２７との通信が遮断されると、トラクタ１が前後進することを禁止する。したがって、トラクタ１の確実な盗難防止を図ることができる。
【００５１】
また、トラクタ１は、セキュリティ状態とは前後進切換レバー１２を前後輪４，５への動力を遮断した状態に維持することであるので、セキュリティ状態ではトラクタ１の前後進を確実に禁止でき、盗難防止を確実に図ることができる。また、セキュリティ状態であっても、エンジン７を駆動することができるので、トラクタ１を停止したままであっても作業機を駆動させることができ、圃場での作業を行うことができる。
【００５２】
また、トラクタ１は、情報端末２０がエンジン７の停止中にスリープモードとなるので、省電力化を図ることができる。また、エンジン７が駆動すると、振動検出手段２０ａがエンジン７を駆動する際の振動を検出して、情報端末２０が通常稼働モードに移行する。したがって、トラクタ１は、エンジン７を駆動すると情報端末２０が携帯端末２７と速やかに通信可能となるので、円滑に使用することができる。
【００５３】
［変形例１］
本発明の実施形態の変形例１に係る作業車両としてのトラクタ１を図５を参照して説明する。図５は、実施形態の変形例１に係る作業車両としてのトラクタのブロック図である。なお、図５において、実施形態と同一部分には、同一符号を付して説明を省略する。
【００５４】
実施形態の変形例１に係るトラクタ１は、情報端末２０が電話基地局４０及びインターネット回線４１を介して、サーバー４２と双方向通信可能である。また、トラクタ１は、情報端末２０を除く機体２側の構成は、実施形態と同一である。
【００５５】
サーバー４２は、トラクタ１の作業時のデータを蓄積するとともに、コンピュータ３０とインターネット回線４１を介して双方向通信可能である。サーバー４２は、インターネット回線４１を介して気象条件などの情報を取得可能であり、取得した情報を情報端末２０及びコンピュータ３０に送信可能である。
【００５６】
実施形態の変形例１に係るトラクタ１によれば、実施形態と同様に盗難防止を図りながらも作業に支障が無いようにすることができるとともに、円滑に使用することができる。また、変形例１に係るトラクタ１によれば、情報端末２０を除く機体２側の構成が実施形態と同一であるので、低コスト化を図ることができる。
【００５７】
［変形例２］
本発明の実施形態の変形例２に係る作業車両としてのトラクタ１を図６を参照して説明する。図６は、実施形態の変形例２に係る作業車両としてのトラクタのセキュリティ状態に移行する際のフローチャートの一例である。図６において、実施形態と同一部分には、同一符号を付して説明を省略する。
【００５８】
実施形態の変形例２に係るトラクタ１は、セキュリティ状態を解除した状態において、情報端末２０が携帯端末２７との通信が遮断されたと判定する（ステップＳＴ１２：Ｙｅｓ）と、エンジン７が駆動しているか否かを判定する（ステップＳＴ１３Ａ）。情報端末２０は、エンジン７が駆動していると判定する（ステップＳＴ１３Ａ：Ｙｅｓ）と、ステップＳＴ１１に戻りセキュリティ状態を解除した状態を維持し、エンジン７が駆動していないと判定する（ステップＳＴ１３Ａ：Ｎｏ）と、セキュリティ状態に移行する（ステップＳＴ１４）。このように、変形例２に係るトラクタ１は、情報端末２０が携帯端末２７との通信が遮断されても、エンジン７が駆動している間は、セキュリティ状態を解除した状態を維持して、圃場などでの走行を許容する。
【００５９】
実施形態の変形例２に係るトラクタ１によれば、実施形態と同様に盗難防止を図りながらも作業に支障が無いようにすることができるとともに、円滑に使用することができる。また、変形例２に係るトラクタ１によれば、情報端末２０が携帯端末２７との通信が遮断されても、エンジン７が駆動している間は、セキュリティ状態を解除した状態を維持するので、作業に支障が無いようにすることができる。
【００６０】
前述した実施形態、変形例１及び変形例２では、走行系ＥＣＵ２５が暗証番号を照合してセキュリティ状態を解除しているが、本発明では、暗証番号を照合してセキュリティ状態を解除するのが、情報端末２０などの種々のものが行っても良い。
【００６１】
なお、本発明は上記実施形態や変形例に限定されるものではない。即ち、本発明の骨子を逸脱しない範囲で組み合わせを変更したり、種々変形して実施することができる。
【符号の説明】
【００６２】
１  トラクタ（作業車両）
２  機体
４  前輪（車輪）
５  後輪（車輪）
７  エンジン
１２  前後進切換レバー
２０  情報端末
２０ａ  振動検出手段
２５  走行系ＥＣＵ（セキュリティ解除手段）
２７  携帯端末
【図１】
0006409526.tif 000002
【図２】
0006409526.tif 000003
【図３】
0006409526.tif 000004
【図４】
0006409526.tif 000005
【図５】
0006409526.tif 000006
【図６】
0006409526.tif 000007